(57)【要約】【課題】パネルの隙間に対応して光洩れを確実に防止し得る引戸の光洩れ防止装置を提供する。【解決手段】複数枚のパネルを引き違い操作可能に支持した引戸において、各パネルには、対向するパネルに向かって突出する複数の隙間防止片７ａ〜７ｃを設け、各隙間防止片７ａ〜７ｃには該隙間防止片の長さを調節するための切り取り溝８ａ〜８ｄをそれぞれ設け、切り取り溝８ａ〜８ｄは対向するパネルに対しそれぞれ異なる距離を隔てて設けた。【選択図】        図２
2004169314.tif 000002
【特許請求の範囲】
【請求項１】
複数枚のパネルを引き違い操作可能に支持した引戸において、
前記各パネルには、対向するパネルに向かって突出する複数の隙間防止片を設け、前記各隙間防止片には該隙間防止片の長さを調節するための調節手段をそれぞれ設け、前記各調節手段は対向するパネルに対しそれぞれ異なる距離を隔てて設けたことを特徴とする引戸の光洩れ防止装置。
【請求項２】
前記隙間防止片は、前記パネルを引き出したとき対向する框に取着されるクッションゴムに一体に設け、該框間の隙間を閉塞可能としたことを特徴とする請求項１記載の引戸の光洩れ防止装置。
【請求項３】
前記調節手段は、前記隙間防止片を切り取り可能とした切り取り溝で構成したことを特徴とする請求項１または２記載の引戸の光洩れ防止装置。
【請求項４】
前記各隙間防止片は、切り取らないとき及びいずれかの切り取り溝に従って切り取ったとき、常に異なる長さとなることを特徴とする請求項３記載の引戸の光洩れ防止装置。
【請求項５】
前記切り取り溝は、前記各隙間防止片に少なくとも１つ設けたことを特徴とする請求項３または４記載の引戸の光洩れ防止装置。
【発明の詳細な説明】
【０００１】
【発明の属する技術分野】
この発明は、パネルを引き違い操作可能に支持した引戸における光洩れ防止装置に関するものである。
【０００２】
【従来の技術】
屋内に設置される引戸は、案内レールあるいはハンガーレールに沿って複数枚のパネルが引き違い操作可能に支持される。引き違い操作されるパネル間には、該パネルを円滑に引き違い操作するために所定の隙間が確保されている。
【０００３】
このような引戸では、パネル間の隙間からの光洩れを防止するために、各パネルの端部に対向するパネルに向かって突出するモヘアあるいはゴム片等の光洩れ防止材が取着されている。
【０００４】
上記のような引戸は、例えば特許文献１に開示されている。
【０００５】
【特許文献１】
実公昭５５−４３２７２
【０００６】
【発明が解決しようとする課題】
上記のように光洩れ防止材としてモヘアを使用した場合、光洩れが発生しやすいとともに、隙間寸法のばらつきに十分対応することができない。従って、光洩れを確実に防止することができない。
【０００７】
光洩れ材として使用するゴム片は、隙間寸法のばらつきに対応するように、その先端部を複数段階に切り取り可能としたものがある。
しかし、ゴム片を複数段階に切り取り可能としても、隙間寸法の微妙なばらつきに十分対応することができず、光洩れを確実に防止することができないという問題点がある。
【０００８】
この発明の目的は、パネルの隙間に対応して光洩れを確実に防止し得る引戸の光洩れ防止装置を提供することにある。
【０００９】
【課題を解決するための手段】
請求項１では、複数枚のパネルを引き違い操作可能に支持した引戸において、前記各パネルには、対向するパネルに向かって突出する複数の隙間防止片を設け、前記各隙間防止片には該隙間防止片の長さを調節するための切り取り溝をそれぞれ設け、前記切り取り溝は対向するパネルに対しそれぞれ異なる距離を隔てて設けた。
【００１０】
請求項２では、前記隙間防止片は、前記パネルを引き出したとき対向する框に取着されるクッションゴムに一体に設け、該框間の隙間を閉塞可能とした。
請求項３では、前記調節手段は、前記隙間防止片を切り取り可能とした切り取り溝で構成した。
【００１１】
請求項４では、前記各隙間防止片は、切り取らないとき及びいずれかの切り取り溝に従って切り取ったとき、常に異なる長さとなる。
請求項５では、前記切り取り溝は、前記各隙間防止片に少なくとも１つ設けた。
【００１２】
【発明の実施の形態】
図１は、この発明を具体化した引戸における光洩れ防止装置の一実施の形態を示す。パネル１ａは、ランナー２ａ，２ｂを介してハンガーレールに沿って移動可能に吊下支持され、パネル１ｂはランナー２ｃ，２ｄを介してハンガーレールに沿って移動可能に吊下支持されている。また、パネル１ａ，１ｂの下端は、床面に設けられる案内レールに沿って移動可能に支持される。そして、パネル１ａ，１ｂは互いに引き違い操作可能となっている。
【００１３】
前記パネル１ａの一端部及び前記パネル１ｂの他端部には取っ手４ａ，４ｂが設けられ、その取っ手４ａ，４ｂの操作によりパネル１ａ，１ｂを引き違い操作可能となっている。
【００１４】
前記パネル１ａの他端側の框５ａ及びパネル１ｂの一端側の框５ｂの端面には、その上下方向全長にわたってクッションゴム６ａ，６ｂが取着されている。このクッションゴム６ａ，６ｂは、框５ａ，５ｂが壁面等に当接する際に、緩衝材として作用して、無用な衝突音等の発生を防止するものである。
【００１５】
図２に示すように、前記クッションゴム６ａには、パネル１ｂに向かって突出する３片の隙間防止片７ａ〜７ｃが形成されている。前記隙間防止片７ａ〜７ｃはパネル１ｂに対する突出量がそれぞれ異なり、隙間防止片７ａの先端が最もパネル１ｂ近傍まで突出され、隙間防止片７ｃの先端とパネル１ｂとの間隔が最も大きくなるように形成されている。
【００１６】
前記隙間防止片７ａには先端から等間隔に切り取り溝（調節手段）８ａ，８ｂが２箇所設けられている。前記隙間防止片７ｂには切り取り溝８ｃが設けられ、前記隙間防止片７ｃには切り取り溝８ｄが設けられている。
【００１７】
前記切り取り溝８ａ〜８ｄはパネル１ｂとの距離がすべて異なるように形成されている。そして、各切り取り溝８ａ〜８ｄに沿って隙間防止片７ａ〜７ｃを切り取ることにより、隙間防止片７ａ〜７ｃの長さを適宜調節可能となっている。
【００１８】
前記クッションゴム６ｂには、クッションゴム６ａと同様な隙間防止片９ａ〜９ｃが形成され、各隙間防止片９ａ〜９ｃには切り取り溝１０ａ〜１０ｄが形成されている。そして、各切り取り溝１０ａ〜１０ｄに沿って隙間防止片９ａ〜９ｃを切り取ることにより、隙間防止片９ａ〜９ｃの長さを適宜調節可能となっている。
【００１９】
さて、上記のように構成された光洩れ防止装置の作用を説明する。図３は、パネル１ａ，１ｂの隙間ｃ１が大きく、隙間防止片７ａ，９ａの先端がパネル１ａ，１ｂの対向する框５ａ，５ｂに当接する状態を示す。
【００２０】
この状態では、パネル１ａ，１ｂが全閉状態まで引き出されて、框５ａ，５ｂが対向するとき、隙間防止片７ａ，９ａによりパネル１ａ，１ｂの隙間からの光洩れが防止される。
【００２１】
図４は、図３に示す隙間ｃ１より小さい隙間ｃ２がパネル１ａ，１ｂ間に形成される場合である。この場合には、隙間防止片７ａ，９ａをその切り取り溝８ａ，１０ａで切り取る。すると、隙間防止片７ｂ，９ｂの先端部が対向する框５ａ，５ｂに当接して、隙間防止片７ｂ，９ｂによりパネル１ａ，１ｂの隙間からの光洩れが防止される。
【００２２】
図５は、図４に示す隙間ｃ２より小さい隙間ｃ３がパネル１ａ，１ｂ間に形成される場合である。この場合には、隙間防止片７ａ，９ａをその切り取り溝８ａ，１０ａで切り取り、さらに隙間防止片７ｂ，９ｂを切り取り溝８ｃ，１０ｃで切り取る。
【００２３】
すると、隙間防止片７ａ，９ａの先端部が対向する框５ａ，５ｂに当接して、隙間防止片７ａ，９ａによりパネル１ａ，１ｂの隙間からの光洩れが防止される。
【００２４】
図６は、図５に示す隙間ｃ３より小さい隙間ｃ４がパネル１ａ，１ｂ間に形成される場合である。この場合には、隙間防止片７ａ，９ａをその切り取り溝８ｂ，１０ｂで切り取り、さらに隙間防止片７ｂ，９ｂを切り取り溝８ｃ，１０ｃで切り取る。
【００２５】
すると、隙間防止片７ｃ，９ｃの先端部が対向する框５ａ，５ｂに当接して、隙間防止片７ｃ，９ｃによりパネル１ａ，１ｂの隙間からの光洩れが防止される。
【００２６】
図７は、図６に示す隙間ｃ４より小さい隙間ｃ５がパネル１ａ，１ｂ間に形成される場合である。この場合には、隙間防止片７ａ，９ａをその切り取り溝８ｂ，１０ｂで切り取り、隙間防止片７ｂ，９ｂを切り取り溝８ｃ，１０ｃで切り取り、さらに隙間防止片７ｃ，９ｃを切り取り溝８ｄ，１０ｄで切り取る。
【００２７】
すると、隙間防止片７ｂ，９ｂの先端部が対向する框５ａ，５ｂに当接して、隙間防止片７ｂ，９ｂによりパネル１ａ，１ｂの隙間からの光洩れが防止される。
【００２８】
上記のように構成された引戸では、次に示す作用効果を得ることができる。
（１）各パネル１ａ，１ｂに設けられた隙間防止片７ａ〜７ｃ，９ａ〜９ｃにより、各パネル１ａ，１ｂを引き出して全閉状態としたとき、パネル１ａ，１ｂ間の隙間を塞いで光洩れを防止することができる。
（２）隙間防止片７ａ〜７ｃ，９ａ〜９ｃは、３種類の長さに形成され、各隙間防止片７ａ〜７ｃ，９ａ〜９ｃに切り取り溝８ａ〜８ｄ，１０ａ〜１０ｄを設けた。従って、隙間防止片７ａ〜７ｃ，９ａ〜９ｃを切り取り溝８ａ〜８ｄ，１０ａ〜１０ｄのいずれかで切り取ってその長さを適宜に調節することにより、パネル１ａ，１ｂ間の隙間を塞いで光洩れを防止することができる。
（３）各切り取り溝８ａ〜８ｄ，１０ａ〜１０ｄは、対向する框５ａ，５ｂとの距離が一致しないように形成されている。従って、隙間防止片７ａ〜７ｃ，９ａ〜９ｃの長さを多段階に細かく調整することができるので、隙間寸法の微妙なばらつきに十分対応することができる。
【００２９】
上記実施の形態は、次に示すように変更することもできる。
・隙間防止片は、２片あるいは４片以上としてもよい。
・各隙間防止片に切り取り溝をさらに多数設けてもよい。
【００３０】
【発明の効果】
以上詳述したように、この発明はパネルの隙間に対応して光洩れを確実に防止し得る引戸の光洩れ防止装置を提供することができる。
【図面の簡単な説明】
【図１】一実施の形態の引戸を示す平面図である。
【図２】一実施の形態の光洩れ防止装置を示す断面図である。
【図３】光洩れ防止装置の作用を示す断面図である。
【図４】光洩れ防止装置の作用を示す断面図である。
【図５】光洩れ防止装置の作用を示す断面図である。
【図６】光洩れ防止装置の作用を示す断面図である。
【図７】光洩れ防止装置の作用を示す断面図である。
【符号の説明】
１ａ，１ｂ        パネル
７ａ〜７ｃ，９ａ〜９ｃ        隙間防止片
８ａ〜８ｄ，１０ａ〜１０ｄ      切り取り溝
【図１】
2004169314.tif 000003
【図２】
2004169314.tif 000004
【図３】
2004169314.tif 000005
【図４】
2004169314.tif 000006
【図５】
2004169314.tif 000007
【図６】
2004169314.tif 000008
【図７】
2004169314.tif 000009